(57)【要約】【課題】レジ精算において、同一商品のバーコードを固定式のバーコードスキャナで読み取る際の誤読を自動的に防ぐことが可能なバーコードスキャナを提供すること。【解決手段】商品を識別するための商品識別情報を光学的に読み取る商品識別情報読取手段と、前記商品識別情報読取手段によって読み取った商品識別情報を販売時点情報管理装置に登録する商品識別情報登録手段と、前記商品の個数を入力するための商品個数入力手段によって商品個数が入力され、前記商品識別情報読取手段によって同一の商品識別情報が連続して読み取られた場合、前記商品個数から１を引いた数だけ前記連続した読み取った商品識別情報の登録を実行しないように、前記商品識別情報登録手段を制御する制御手段を備える。【選択図】図５
2009245136.tif 000002
【特許請求の範囲】
【請求項１】
商品を識別するための商品識別情報を光学的に読み取る商品識別情報読取手段と、
前記商品識別情報読取手段によって読み取った商品識別情報を販売時点情報管理装置に登録する商品識別情報登録手段と、
前記商品の個数を入力するための商品個数入力手段と、
前記商品個数入力手段によって商品個数が入力され、前記商品識別情報読取手段によって同一の商品識別情報が連続して読み取られた場合、前記商品個数から１を引いた数だけ前記連続した読み取った商品識別情報の登録を実行しないように、前記商品識別情報登録手段を制御する制御手段と、
を備えることを特徴とする商品識別情報入力装置。
【請求項２】
前記商品識別情報読取手段は、前記商品個数入力手段によって商品個数が入力された後、前記商品情報を読み取る、ことを特徴とする請求項１に記載の商品識別情報入力装置。
【請求項３】
前記商品個数入力手段は、前記商品識別情報読取手段によって前記商品情報を読み取った後、商品個数を入力する、ことを特徴とする請求項１に記載の商品識別情報入力装置。
【請求項４】
前記制御手段は、前記商品個数から１を引いた数だけ前記連続した読み取った商品識別情報の登録を実行しないように前記商品識別情報登録手段を制御した後、その後に前記商品識別情報読取手段によって読み取った商品識別情報を登録するように、前記商品識別情報登録手段を制御する、ことを特徴とする請求項１乃至３の何れか１項に記載の商品識別情報入力装置。
【請求項５】
前記制御手段は、前記商品個数から１を引いた数だけ前記連続した読み取った商品識別情報の登録を実行しないように前記商品識別情報登録手段を制御している間に、前記商品識別情報読取手段によって前記同一の商品識別情報とは異なる他の商品識別情報が読み取られた場合、前記読み取った他の商品識別情報を登録するように前記商品識別情報登録手段を制御する、ことを特徴とする請求項１乃至３の何れか１項に記載の商品識別情報入力装置。
【請求項６】
前記制御手段は、前記商品個数から１を引いた数だけ前記連続した読み取った商品識別情報の登録を実行しないように前記商品識別情報登録手段を制御している間に、前記商品識別情報読取手段による前記同一の商品識別情報の読み取りを実行する状態が所定時間継続している場合、前記同一の商品識別情報を登録するように前記商品識別情報登録手段を制御する、ことを特徴とする請求項１乃至３の何れか１項に記載の商品識別情報入力装置。
【請求項７】
前記制御手段は、前記商品個数から１を引いた数だけ前記連続した読み取った商品識別情報の登録を実行しないように前記商品識別情報登録手段を制御している間に、前記制御の取り消し指示を受けた場合、前記制御を取り消す、ことを特徴とする請求項１乃至３の何れか１項に記載の商品識別情報入力装置。
【請求項８】
前記制御手段は、前記商品個数入力手段によって商品個数が新たに入力され、前記商品識別情報読取手段によって同一の商品識別情報が新たに連続して読み取られた場合、新たに入力された商品個数から１を引いた数だけ前記新たに連続した読み取った商品識別情報の登録を実行しないように、前記商品識別情報登録手段を制御する、ことを特徴とする請求項１乃至３の何れか１項に記載の商品識別情報入力装置。
【請求項９】
前記制御手段は、前記商品個数から１を引いた数だけ前記連続した読み取った商品識別
情報の登録を実行しないように前記商品識別情報登録手段を制御している間に、所定時間経過した場合、前記同一の商品識別情報を登録するように前記商品識別情報登録手段を制御する、ことを特徴とする請求項１乃至３の何れか１項に記載の商品識別情報入力装置。
【請求項１０】
前記制御手段は、前記商品個数から１を引いた数だけ前記連続した読み取った商品識別情報の登録を実行しないように、前記商品識別情報登録手段を制御する際、アラーム音を出力しない、ことを特徴とする請求項１乃至９の何れか１項に記載の商品識別情報入力装置。
【請求項１１】
商品識別情報入力装置のコンピュータを、
商品を識別するための商品識別情報を光学的に読み取る商品識別情報読取手段と、
前記商品識別情報読取手段によって読み取った商品識別情報を販売時点情報管理装置に登録する商品識別情報登録手段と、
前記商品の個数を入力するための商品個数入力手段によって商品個数が入力され、前記商品識別情報読取手段によって同一の商品識別情報が連続して読み取られた場合、前記商品個数から１を引いた数だけ前記連続した読み取った商品識別情報の登録を実行しないように、前記商品識別情報登録手段を制御する制御手段と、
して機能させることを特徴とする商品識別情報誤読防止プログラム。
【発明の詳細な説明】
【技術分野】
【０００１】
本発明は、ＰＯＳ（販売時点情報管理装置）に登録するための商品情報を示すバーコード（商品識別情報）を読み取るバーコードスキャナ（商品識別情報入力装置）に関し、特に、精算時に商品を載せるレーン台に固定された固定式のバーコードスキャナに関する。
【背景技術】
【０００２】
従来、商品情報を示すバーコードを読み取るバーコードスキャナには、オペレータが手に持って商品に近づけることが可能なハンディタイプと、精算時に商品を載せるためのレーン台に固定された固定式とが存在している。
【０００３】
このうち、固定式のバーコードスキャナの場合、オペレータが商品を片手または両手で移動させながら商品情報を読み取らせることができ操作性が良いという反面、読み取らせたくない商品、例えば、同一商品の商品情報を複数個、ＰＯＳに登録する場合に、数字キー等で個数を入力するのと併行してバーコードを１回だけ読み取らせれば良いような場合であっても、移動させるだけでよい（商品情報を読み取る必要のない）商品の商品情報をも読み取ってしまうという問題があった。
【０００４】
このような同一商品複数個のバーコード読み取りの誤読を抑止する方法としては、以下の方法があった。
（１）同一商品の商品情報を連続して読取った場合、通常の読み取り時とは異なるアラーム音よってエラー確認を促す方法。この場合、複数回の読み取りが間違いでない場合は、アラーム音を無視して操作を続行する。
（２）同一商品を読み取る前に商品の数量を入力し、１個の商品の商品情報のみを読み取るように、２個目以降の商品を迂回等させることにより読み取り操作を行わないようにする方法。
（３）上記（１）および（２）を合わせた方法。
【特許文献１】特開昭６０−２７９８０号公報
【特許文献２】特開平５−１６５９９３号公報
【特許文献３】特開平９−６２９４２号公報
【特許文献４】特開２００１−３０７２２６号公報
【特許文献５】特開２００２−８１４３号公報
【発明の開示】
【発明が解決しようとする課題】
【０００５】
しかしながら、上述（１）の様に同一商品の商品情報を連続して読取った場合、通常の読み取り時とは異なるアラーム音よってエラー確認を促す方法では、アラーム音などにより買物客に不安感を与えたり、不慣れなオペレータの場合はアラーム音を聞き逃したりする可能性があった。さらに、オペレータに判断させなければならないという操作性の問題があった。
【０００６】
また、上述（２）の様に同一商品を読み取る前に商品の数量を入力し、１個の商品の商品情報のみを読み取るように、２個目以降の商品を迂回等させることにより読み取り操作を行わないようにする方法では、２個目以降を読み取らないように商品を移動させる必要があるが、バーコードスキャナの読み取り性能の向上により、オペレータが意図せず読み取ってしまう場合があり、オペレータによるＰＯＳへの登録のキャンセル操作など煩雑な手続きが必要だった。
【０００７】
また、アプリケーションで実現する場合、数量を入れたことで読み取りを無効とすることは可能であるが、読み取りを有効にするタイミングでオペレータによる操作が必要となるため現実的ではないという問題点があった。
【０００８】
本発明は、かかる問題を解決するためのもので、レジ精算において、同一商品のバーコードを固定式のバーコードスキャナで読み取る際の誤読を自動的に防ぐことが可能なバーコードスキャナ（商品識別情報入力装置）を提供することを目的とする。
【課題を解決するための手段】
【０００９】
本発明は、上記課題を解決するため、下記のような構成を採用した。
すなわち、本発明の一態様によれば、本発明の商品識別情報入力装置は、商品を識別するための商品識別情報を光学的に読み取る商品識別情報読取手段と、前記商品識別情報読取手段によって読み取った商品識別情報を販売時点情報管理装置に登録する商品識別情報登録手段と、前記商品の個数を入力するための商品個数入力手段と、前記商品個数入力手段によって商品個数が入力され、前記商品識別情報読取手段によって同一の商品識別情報が連続して読み取られた場合、前記商品個数から１を引いた数だけ前記連続した読み取った商品識別情報の登録を実行しないように、前記商品識別情報登録手段を制御する制御手段を備えることを特徴とする。
【００１０】
また、本発明の商品識別情報入力装置は、前記商品識別情報読取手段が、前記商品個数入力手段によって商品個数が入力された後、前記商品情報を読み取ることが望ましい。
また、本発明の商品識別情報入力装置は、前記商品個数入力手段が、前記商品識別情報読取手段によって前記商品情報を読み取った後、商品個数を入力する、ことを特徴とする請求項１に記載の商品識別情報入力装置。
【００１１】
また、本発明の商品識別情報入力装置は、前記制御手段が、前記商品個数から１を引いた数だけ前記連続した読み取った商品識別情報の登録を実行しないように前記商品識別情報登録手段を制御した後、その後に前記商品識別情報読取手段によって読み取った商品識別情報を登録するように、前記商品識別情報登録手段を制御することが望ましい。
【００１２】
また、本発明の商品識別情報入力装置は、前記制御手段が、前記商品個数から１を引いた数だけ前記連続した読み取った商品識別情報の登録を実行しないように前記商品識別情報登録手段を制御している間に、前記商品識別情報読取手段によって前記同一の商品識別情報とは異なる他の商品識別情報が読み取られた場合、前記読み取った他の商品識別情報を登録するように前記商品識別情報登録手段を制御することが望ましい。
【００１３】
また、本発明の商品識別情報入力装置は、前記制御手段が、前記商品個数から１を引いた数だけ前記連続した読み取った商品識別情報の登録を実行しないように前記商品識別情報登録手段を制御している間に、前記商品識別情報読取手段による前記同一の商品識別情報の読み取りを実行する状態が所定時間継続している場合、前記同一の商品識別情報を登録するように前記商品識別情報登録手段を制御することが望ましい。
【００１４】
また、本発明の商品識別情報入力装置は、前記制御手段が、前記商品個数から１を引いた数だけ前記連続した読み取った商品識別情報の登録を実行しないように前記商品識別情報登録手段を制御している間に、前記制御の取り消し指示を受けた場合、前記制御を取り消すことが望ましい。
【００１５】
また、本発明の商品識別情報入力装置は、前記制御手段が、さらに、前記商品個数入力手段によって商品個数が新たに入力され、前記商品識別情報読取手段によって同一の商品識別情報が新たに連続して読み取られた場合、新たに入力された商品個数から１を引いた
数だけ前記新たに連続した読み取った商品識別情報の登録を実行しないように、前記商品識別情報登録手段を制御することが望ましい。
【００１６】
また、本発明の商品識別情報入力装置は、前記制御手段が、前記商品個数から１を引いた数だけ前記連続した読み取った商品識別情報の登録を実行しないように前記商品識別情報登録手段を制御している間に、所定時間経過した場合、前記同一の商品識別情報を登録するように前記商品識別情報登録手段を制御することが望ましい。
【００１７】
また、本発明の商品識別情報入力装置は、前記制御手段が、前記商品個数から１を引いた数だけ前記連続した読み取った商品識別情報の登録を実行しないように、前記商品識別情報登録手段を制御する際、アラーム音を出力しないことが望ましい。
【００１８】
また、本発明の一態様によれば、本発明の商品識別情報誤読防止プログラムは、商品識別情報入力装置のコンピュータを、商品を識別するための商品識別情報を光学的に読み取る商品識別情報読取手段と、前記商品識別情報読取手段によって読み取った商品識別情報を販売時点情報管理装置に登録する商品識別情報登録手段と、前記商品の個数を入力するための商品個数入力手段によって商品個数が入力され、前記商品識別情報読取手段によって同一の商品識別情報が連続して読み取られた場合、前記商品個数から１を引いた数だけ前記連続した読み取った商品識別情報の登録を実行しないように、前記商品識別情報登録手段を制御する制御手段として機能させることを特徴とする商品識別情報誤読防止プログラムである。
【発明の効果】
【００１９】
本発明によれば、同一商品をＰＯＳに登録する際、個数を入力した後の商品を移動させるために誤ってバーコードの情報を読み取ってしまうことを防ぐことができる。
また、本発明によれば、バーコードスキャナからワーニングを示すアラーム音などがしないため、買物客に不安感を与えることがない。
【００２０】
また、本発明によれば、オペレータはバーコードスキャナが読み取り無効状態となっていることを意識することなく次の商品のバーコードの読み込みを継続することができる。
【発明を実施するための最良の形態】
【００２１】
以下、図面に基づいて本発明を適用した実施の形態を説明する。
図１は、本発明の商品識別情報入力装置として機能するバーコードスキャナを含むシステム全体の基本構成を示す図である。
【００２２】
図１に示すように、コンビニエンスストア、スーパーマーケットまたは家電量販店等において、バーコードスキャナ１１は、商品を載置するレーン台１４上に固定して設置され、顧客が購入する商品に付されたバーコードを走査して情報を読み取る。そして、バーコードスキャナ１１は、読み取ったバーコードの情報について精算処理を行うＰＯＳ１３に送信する。また、バーコードスキャナ１１には、顧客が同一商品を複数購入する場合に、商品の個数を入力するための数字キーを含む、キーボード１２が備え付けられている。
【００２３】
図２は、バーコードスキャナの構成図である。
図２において、バーコードスキャナ１１は、バーコードを走査することによりバーコードの情報を読み取るバーコード読取部１６、同一の商品のバーコードを連続して読み込んだ場合に、読捨て状態有無の「有」から「無」への遷移、または「無」から「有」への遷移等の制御を行う制御部１５、バーコードの読捨て状態有無情報等を記憶するメモリ部３１、ＰＯＳ１３と通信するための通信部３２を有している。
【００２４】
そして、バーコードスキャナ１１は、オペレータがレーン台１４の右に置かれた商品を、バーコードスキャナ１１の前で例えば右から左へ移動させることにより、商品の販売情報として商品に添付されているバーコードを読取り、読み取ったバーコードの情報をＰＯＳ１３へ送信する。
【００２５】
図３は、キーボードの構成図である。
図３において、キーボード１２は、商品の個数等を入力する入力部４１、入力された数字等を表示する表示部４２、キーボード１２全体を制御する制御部４３、顧客が購入する商品情報等を記憶するメモリ部４４、ＰＯＳ１３と通信するための通信部４５を有している。また、表示部４２は、顧客が購入した商品について、読み取られたバーコードスキャナ１１が読み取ったバーコードの情報における値段等を、バーコードスキャナ１１がバーコードを走査する毎に表示するカスタマディスプレイとして利用することもある。その場合、顧客はその表示部４２における表示を視認して自己の購入商品の値段を確認することができる。
そして、キーボード１２は、数値キー、確定キー、クリアキー等が押下されると、押下されたキーの情報は通信部４５を通じてＰＯＳ１３へ送信される。
【００２６】
図４は、ＰＯＳの構成図である。
図４において、ＰＯＳ１３は、商品の値段や顧客から商品代金として預かったお金等の情報を入力するための入力部５１、各商品の値段、小計額等の情報を表示するための表示部５２、ＰＯＳ１３全体を制御する制御部５３、購入商品の合計金額等を記憶するメモリ部５４、バーコードスキャナ１１およびキーボード１２等と通信するための通信部５５を有している。
そして、ＰＯＳ１３は、バーコードスキャナ１１およびキーボード１２を入力デバイスとして、販売する商品を精算するために単品別に販売情報などを収集する。
【００２７】
図５は、本発明の概要を説明するための図である。
本発明は、同一商品に付されたバーコード、すなわち、同一内容のバーコードを読み取る前に、その同一商品の数量を入力し、その際に個数データを固定式のバーコードスキャナ１１のメモリ部３１へ登録しておくことにより、他の種類の商品のバーコードが読み込まれるまでにメモリ３１に登録された商品のバーコード読み取りを、固定式のバーコードスキャナ１１で無効となるように制御することを特徴とする。そして、この無効の状態から通常の状態へ復帰する場合には、後述するように、種々の条件がある。
【００２８】
次に、本発明を実行する際の流れについて説明する。ここで、顧客が商品Ａを２個、商品Ｂを１個購入した場合を例にして説明する。
まず、オペレータは、商品Ａが２個（商品Ａ（１）、商品Ａ（２））あるのを確認する。すると、オペレータは、キーボード１２の数字キー１９を用いて個数を入力、すなわち、「２」の数字キーを押下する。
【００２９】
次に、オペレータは、商品Ａを１つ（商品Ａ（１））取り上げ、バーコードスキャナ１１の前を通過させることによりバーコードを走査させ、商品を登録する。そして、オペレータは、商品Ａ（商品Ａ（１））を登録済み商品収納カゴへ移す。
【００３０】
さらに、オペレータは残りの商品Ａ（商品Ａ（２））をスキャンさせずに登録済み商品格納カゴへ移す。
次に、オペレータは、商品Ａとは異なる商品Ｂを取り上げ、商品Ａの場合と同様にバーコードをスキャンさせる。そして、オペレータは、商品Ｂを登録済み商品収納カゴへ移す
。
【００３１】
この一連の処理において、本発明は以下のような制御を行なっている。
（１）キーボード１２の数字キー１９によって入力された商品の個数は、通信部４５を通じて、ＰＯＳ１３に送信される。ＰＯＳ１３は固定式のバーコードスキャナ１１に対して、同一商品の読み取りモードへ遷移するよう指示する。
（２）ＰＯＳ１３からの同一商品の読み取りモード指示を受けたバーコードスキャナ１１は同一商品の読み取りモードに遷移する。
（３）バーコードスキャナ１１は、読み取りモードに遷移後、最初に読み込まれたバーコードをメモリ部３１に記憶する。
（４）バーコードスキャナ１１は、次に読み込まれたバーコードが同一のバーコードの場合、読み取りを無視するとともに、アラーム音も鳴動させない。
（５）また、以下の（ａ）〜（ｃ）のいずれかの条件と合致した場合は、同一商品の読み取りモードから通常の読取りモードに戻る。
（ａ）読み取りモードに遷移後、最初に読み込まれたバーコードとは一致しないバーコードを読み取った場合。
（ｂ）予め指定された最大個を読み取った場合。
（ｃ）同一バーコードが走査タイミングで複数回連続して読み取った場合。すなわち、登録した個数より実際の商品の個数が多かった場合、例えば、３個と登録したが４個あった場合。
【００３２】
従来は、上述のような場合、例えば、３個の商品を登録済み商品収納カゴに入れ、４個目である残り１個の商品を走査すると、同一商品の連続読みであることを示すアラーム音が鳴る。そして、アラーム音を無視して継続するか、もしくは、確認ボタン等を押下して処理を継続していた。
【００３３】
しかしながら、本発明を適用した場合は、３個の商品を登録済み商品収納カゴに入れ、４個目である残り１個の商品を走査しても読み取り音（アラーム音）が鳴らないので、商品をバーコードスキャナ１１の前に所定時間保持する。すると、通常のモードに戻り、通常の読み取り音鳴動で処理を継続することができる。
【００３４】
なお、バーコードスキャナ１１は、バーコードを読込む際に同一バーコードが連続して一定時間以上読まれた場合、読取りのチャタリングと判断し、１つのバーコードとして通知する機能が既知の機能として備えている。本発明では、この機能を用いることにより、同一のバーコードが所定時間以上バーコードスキャナ１１にかざされた場合、長読みと判断している。
【００３５】
次に、本発明を適用した商品識別情報入力処理について説明する。
本発明を適用した商品識別情報入力処理は、同一商品の個数を入力することにより起動する開始処理、バーコードを読み込み同一商品読捨て状態となる商品識別情報誤読防止処理、通常状態へ戻るための復帰処理で構成される。これらの処理の流れを図６、図７、図８に示したフローチャートを用いて説明する。
【００３６】
図６は、本発明を適用した開始処理の流れを示すフローチャートである。
まず、ステップＳ６０１において、同一商品を複数個精算する場合に、キーボード１２の数字キー１９押下することにより同一商品の個数を入力する。
【００３７】
すると、ステップＳ６０２において、ＰＯＳ１３は、キーボード１１で入力した個数を
入力データとして受け取り、ステップＳ６０３において、ＰＯＳ１３は、バーコードスキャナ１１へ同一商品読捨て開始を通知する。
そして、ステップＳ６０４において、バーコードスキャナ１１の制御部１５は、同一商品読捨て状態有無１８を「有」に遷移する。
【００３８】
図７は、本発明を適用した商品識別情報誤読防止処理の流れを示すフローチャートである。
まず、ステップＳ７０１において、バーコードスキャナ１１は、レーン台１４にある商品のバーコードを読み取る。
そして、ステップＳ７０２において、バーコードスキャナ１１の制御部１５は、バーコード読取部１６で読み取った商品のバーコードデータと長読み有無情報を受け取る。なお、バーコード読取部１６は、商品のバーコードが継続して所定時間以上かざされた場合、長読み有りの情報をバーコードデータと共に制御部１５へ通知する。長読み有無判定は、バーコード読取部１６において、上述したような既知の技術を用いて行う。
【００３９】
次に、ステップＳ７０３において、同一商品読捨て状態有無１８が「有」であるか否（「無」である）かを判断する。
同一商品読捨て状態有無１８が「有」でないと判断された場合、すなわち、同一商品読捨て状態有無１８が「無」であると判断された場合（ステップＳ７０３：ＮＯ）は、後述するステップＳ７１０に進む。
【００４０】
他方、ステップＳ７０３で同一商品読捨て状態有無１８が「有」であると判断された場合（ステップＳ７０３：ＹＥＳ）は、ステップＳ７０４において、読捨てバーコード１７の状態が読み取った商品のバーコードデータとして格納済みであるか、初期状態であるかを判断する。
【００４１】
初期状態であると判断された場合は、ステップＳ７０５において、制御部１５は、読捨てバーコード１７に読み取った商品のバーコードデータを格納し、ステップＳ７０６において、制御部１５は、読み取った商品のバーコードデータをＰＯＳ１３へ通知する。
【００４２】
他方、ステップＳ７０４で格納済みであると判断された場合は、ステップＳ７０７において、同一商品のバーコードか否かを判断する。
同一商品のバーコードであると判断された場合（ステップＳ７０７：ＹＥＳ）は、さらに、ステップＳ７０８において、長読みか否かを判断する。
【００４３】
同一商品のバーコードでないと判断された場合（ステップＳ７０７：ＮＯ）または、長読みが有りと判断された場合（ステップＳ７０８：ＹＥＳ）は、ステップＳ７０９において、バーコードスキャナ１１の制御部１５は、同一商品読捨て状態有無１８を「無」に遷移する。
【００４４】
そして、ステップＳ７１０において、制御部１５は、読捨てバーコード１７を初期化し、ステップＳ７１１において、制御部１５は、読み取った商品のバーコードデータをＰＯＳ１３へ通知する。
【００４５】
なお、ステップＳ７１０において、制御部１５が読捨てバーコード１７を初期化する処理の代わりに、制御部１５が読捨てバーコード１７に読み取った商品のバーコードデータを格納する処理に変更することにより、バーコードを走査した後に同一商品の個数を入力する処理順序も可能となる。
【００４６】
図８は、本発明を適用した復帰処理の流れを示すフローチャートである。
まず、ステップＳ８０１において、精算処理を中断する場合や確定する場合に、キーボード１２のクリアキー２０もしくは精算キーを押下すると、ステップＳ８０２において、ＰＯＳ１３は、キーボート１２からクリアキー２０の押下を示すクリア押下情報もしくは精算キーの押下を示す精算押下情報を受け取る。
【００４７】
そして、ステップＳ８０３において、ＰＯＳ１３は、バーコードスキャナ１１へ同一商品読捨て終了を通知する。
次に、ステップＳ８０４において、バーコードスキャナ１１の制御部１５は、同一商品読捨て状態有無１８を「無」に遷移し、ステップＳ８０５において、バーコードスキャナ１１の制御部１５は、読捨てバーコード１７を初期化する。
【００４８】
以上、本発明の実施の形態を、図面を参照しながら説明してきたが、本発明が適用される商品識別情報入力装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００４９】
また、バスに接続されたＣＰＵ、ＲＯＭやＲＡＭのメモリ、入力装置、出力装置、外部記録装置、媒体駆動装置、可搬記録媒体、ネットワーク接続装置で構成されるシステムでも実現できる。すなわち、前述してきた実施の形態のシステムを実現するソフトェアのプログラムコードを記録したＲＯＭやＲＡＭのメモリ、外部記録装置、可搬記録媒体を、商品識別情報入力装置に供給し、その商品識別情報入力装置のコンピュータがプログラムコードを読み出し実行することによっても、達成されることは言うまでもない。
【００５０】
この場合、可搬記録媒体等から読み出されたプログラムコード自体が本発明の新規な機能を実現することになり、そのプログラムコードを記録した可搬記録媒体等は本発明を構成することになる。
【００５１】
プログラムコードを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００５２】
また、コンピュータがメモリ上に読み出したプログラムコードを実行することによって、前述した実施の形態の機能が実現される他、そのプログラムコードの指示に基づき、コンピュータ上で稼動しているＯＳなどが実際の処理の一部または全部を行ない、その処理によっても前述した実施の形態の機能が実現される。
【００５３】
さらに、可搬型記録媒体から読み出されたプログラムコードやプログラム（データ）提供者から提供されたプログラム（データ）が、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によっても前述した実施の形態の機能が実現され得る。
【００５４】
すなわち、本発明は、以上に述べた実施の形態に限定されるものではなく、本発明の要旨を逸脱しない範囲内で種々の構成または形状を取ることができる。
【図面の簡単な説明】
【００５５】
【図１】本発明の商品識別情報入力装置として機能するバーコードスキャナを含むシステム全体の基本構成を示す図である。
【図２】バーコードスキャナの構成図である。
【図３】キーボードの構成図である。
【図４】ＰＯＳの構成図である。
【図５】本発明の概要を説明するための図である。
【図６】本発明を適用した開始処理の流れを示すフローチャートである。
【図７】本発明を適用した商品識別情報誤読防止処理の流れを示すフローチャートである。
【図８】本発明を適用した復帰処理の流れを示すフローチャートである。
【符号の説明】
【００５６】
１１      バーコードスキャナ
１２      キーボード
１３      ＰＯＳ
１４      レーン台
１５      制御部
１６      バーコード読取部
１７      読捨てバーコード
１８      同一商品読捨て状態有無
１９      数字キー
２０      クリアキー
２１      確定キー
３１      メモリ部
３２      通信部
４１      入力部
４２      表示部
４３      制御部
４４      メモリ部
４５      通信部
５１      入力部
５２      表示部
５３      制御部
５４      メモリ部
５５      通信部
【図２】
2009245136.tif 000003
【図３】
2009245136.tif 000004
【図４】
2009245136.tif 000005
【図５】
2009245136.tif 000006
【図６】
2009245136.tif 000007
【図７】
2009245136.tif 000008
【図８】
2009245136.tif 000009
【図１】
2009245136.tif 000010